【事件の表示】
　平成　５年特許願第　８５６２１号「映像情報記録装置」拒絶査定不服審判事件〔平成　６年　９月３０日出願公開、特開平　６−２７５０００〕について、次のとおり審決する。
【結　論】
　本件審判の請求は、成り立たない。
【理　由】
１．手続の経緯及び本願発明
　本件審判の請求に係る特許出願（以下、「本願」という）は、平成５年３月１８日の出願であって、平成１４年３月１日付けで拒絶すべきものである旨の査定がなされたところ、平成１４年４月８日付けで特許法１２１条第１項の審判が請求された。そして、平成１６年８月１７日付で当審より拒絶理由が通知され、平成１６年１０月１５日付けで意見書と手続補正書が提出されたところ、平成１７年１月１４日付けで、平成１６年１０月１５日付け及び平成１４年４月２５日付けの各手続補正は却下する旨の補正の却下の決定がなされ、平成１７年２月２４日に確定した。
　したがって、本願請求項１に係る発明は、平成１４年２月１２日付け手続補正書により補正された明細書及び図面の記載からみて、その特許請求の範囲の欄の請求項１に記載の以下のとおりのものと認める。
「【請求項１】
　供給された映像信号をデジタル映像信号に変換するＡ／Ｄ変換手段と、
　上記デジタル映像信号を一時的に格納可能なメモリ手段と、
　当該装置本体に設けられた操作部に対する第１の操作に応じて形成される第１の指令信号に基づいて上記デジタル映像信号を上記メモリ手段に格納させる記憶制御手段と、
　上記メモリ手段に格納されたデジタル映像信号を、上記操作部に対する第２の操作に応じて形成される第２の指令信号に基づいて当該適用された情報記録媒体に転送記録するための記録制御手段と、
　上記第１の指令信号及び第２の指令信号と少なくとも上記デジタル映像信号の記憶および記録に関する限りでは等価な指令信号を発生するようになされた当該適合する上記操作部とは別途の遠隔操作部材による操作指令を受付可能になされ、この操作指令の受付をしたときには上記操作部に対する操作に基づいて動作する場合と少なくとも上記デジタル映像信号の記憶および記録に関する限りでは等価な制御動作を行わしめるための遠隔操作部材指令受付手段と、
を備え、
　上記第１の指令信号を、上記第１の指令信号と等価な指令信号より優先させて受付けるようにしたことを特徴とする映像情報記録装置。」（以下、「本願発明」という）
　
　
２．刊行物の記載
　当審において、平成１６年８月１７日付けで通知した拒絶理由で引用した特開昭６２−２００３１７号公報（以下、「刊行物」という）には、「内視鏡装置」に関する発明について、以下の記載がある。
　 (1)「（１）被検体の対象部位の画像を記録するための命令信号を発生させる画像記録スイッチと、この画像記録スイッチの命令信号を受け前記対象部位の動画像を静止画像にする画像静止手段と、この画像静止手段による静止画像を任意の設定時間保持する画像保持手段と、前記画像保持手段により設定時間保持される静止画像を基に前記静止画像の記録及び中止をする画像記録制御手段とを備えたことを特徴とする内視鏡装置。
（２）前記画像保持手段により、前記静止画像が１秒〜１０秒保持されることを特徴とする特許請求の範囲第一項記載の内視鏡装置。
（３）前記画像記録制御手段により、前記静止画像の記録及び中止がされた後に、前記静止画像を自動的に解除する静止画像自動解除手段を備えたことを特徴とする特許請求の範囲第一項及び第二項記載の内視鏡装置。」（特許請求の範囲）
　 (2)「一般に、電子内視鏡装置を用いて生体腔内等を例えばテレビ等により観察しながら写真撮影する場合には、カラーテレビモニタを直接写真撮影するかあるいは、モノクロームテレビモニタ上に赤，緑，青信号により像を作り、これらを赤，緑，青フィルタを介してフィルム上で色合成しカラー写真にする方法（以下、フィルタ加色方法と称する）をとることにより行なわれている。上記のいずれの場合においても、テレビモニタを写真撮影する際、動画像を静止させた状態（以下、フリーズ像と称する）にして撮影する必要がある。従来の電子内視鏡装置においては、フリーズスイッチを押し、フリーズ像を表示してからカメラのシャッタを押して写真撮影するという手間を除くために、第７図あるいは第８図に示すように、フリーズスイッチあるいは撮影スイッチを押すことにより、画像のフリーズ及び写真撮影の一連の動作が自動的に行なわれている。
　また、画像を記録する手段としては、写真撮影のかわりに光ディスク，ビデオフロッピー，デジタルＶＴＲなどの記録媒体に画像をいったん記録し、必要な時に写真撮影するようなことも行なわれている。」（第１頁右下欄第１４行〜第２頁左上欄第行１７行目）
　 (3)「第１図は、本発明の一実施例の装置構成を示すブロック図である。
　１は、フリーズスイッチ，写真撮影スイッチ等のパネル上のスイッチやスコープ取付スイッチあるいは、フットスイッチなどの操作用スイッチ群である。３は、マイクロプロセッサ（ＭＰＵ）を有し、本発明を実現するための演算処理とシステム各ユニットの制御とを行なうためのシステムコントローラである。２は、このシステムコントローラ３と操作用スイッチ群１との第１のインタフェースである。５は、生体腔内に挿入される内視鏡装置のスコープで、その先端部には図示しない固体撮像素子とこの固体撮像素子に結像させる光学系とが組込まれている。６は、スコープ５より取り出された信号をコンポジットビデオ信号に変換したり、赤，緑，青信号を用いるＲＧＢ方式のテレビ信号に変換したり、あるいはそれぞれの目的に応じた画像処理のための信号に変換する処理回路である。７は、処理回路６から出力されるアナログ信号をデジタル信号に変換し、このデジタル信号による画像データをその内部に備えた記憶回路（以下、メモリと称する）に保持した後、この保持した画像データの信号を読出しアナログ信号に変換してテレビ出力をするＤＳＣ（デジタルスキャンコンバータ）である。このＤＳＣ７は、システムコントローラ３の制御を受けて、メモリ内にデータを保持し、必要に応じて静止画像（フリーズ像）が観察用のＴＶモニタのような表示器８に表示される。」（第２頁右下欄第１１行〜第３頁左上欄第２０行目）
　 (4)「４は、外部機器（ここではフロッピーディスク等の外部記憶装置、或いは画像を部分的に強調する等の画像処理装置などのように、システムコントローラ３やＤＳＣ７に対して外部のものを指す。）とＤＳＣ７のデータを送受するための第２のインタフェースである。」（第３頁右上欄第６〜１２行目）
　 (5)「この動作を図示したものが第２図のフローチャートである。
　本実施例ではフリーズスイッチと写真撮影スイッチの組合せにより以下に示す４種類の動作を示す。
（１）　フリーズスイッチが押されると画像はフリーズされる。（本モードは第２図では示されていない。）
（２）　フリーズスイッチが写真撮影スイッチに先立って押されて画像がフリーズされた後に写真撮影スイッチが押されると、写真撮影のみが行なわれる。また、写真撮影終了後は自動的にフリーズの解除が行なわれる。
（３）　写真撮影スイッチがフリーズスイッチに先立って押されると、まず画像がフリーズされる。画像がフリーズされた後は、操作者がこのフリーズ像を基に記録すべきか否かの判断を行なうために図示しない機構により、判断するのに十分かつ必要な時間である１〜１０秒程度の任意に設定される時間フリーズ像が保持される。そしてこの間にフリーズスイッチが押されない場合は写真撮影が実行される。そして、写真撮影終了後は自動的にフリーズが解除される。
（４）　前記（３）の任意の設定時間でフリーズ像が保持されている間にフリーズスイッチが押される場合はフリーズが自動的に解除され通常の観察状態に戻る。この場合、写真撮影は実行されない。」（第３頁右上欄第１６行〜同頁右下欄第４行目）
　 (6)「また、上記の動作説明は写真撮影を目的とした例であるが、写真撮影のかわりにフリーズ像の画像データ転送することも可能である。また、写真撮影スイッチのかわりにデータ転送スイッチを設け、第２図に示した処理ルーチンで制御出力を写真撮影とデータ転送の２組に対応するハードウェアを設ければ写真撮影と同様に外部機器へのデータ伝送が実行され得る。」（第３頁右下欄第１０〜１７行目）
　 (7)「これらの動作は、システムコントローラ３に内蔵されているＭＰＵを用いて行なうものであるが、他の手段として専用のハードウェアを用いたものを以下に示す。
　この専用のハードウェアを用いた本発明の実施例が第３図である。そして、第４図はフリーズスイッチが写真撮影スイッチに先立って押された前記（２）の場合のタイミングチャート、
　　　　　　　　　　　・・・（中　略）・・・
これらのタイミングチャートと合わせて第３図の動作説明を行なうものとする。
　１５は、フリーズスイッチにより励起されるフリーズ命令信号、１６は、撮影スイッチにより励起される撮影命令信号でそれぞれ第４図，第５図，第６図のタイミングチャートに示すような波形をしている。また、これら各スイッチは図示しない操作卓上に設けられている。」（第３頁右下欄第１８行〜第４頁左上欄第２０行目）
　 (8)「さらに、先にも述べた通り本発明は、本実施例で示した写真撮影の代わりに外部機器へのデータ転送とすることも可能である。」（第５頁右上欄第１９行〜同頁左下欄第１行目）
　
　以上の記載を整理すると、結局、上記刊行物には、以下のとおりの発明が記載されているものと認める。
　「内視鏡装置のスコープより取り出された信号をコンポジットビデオ信号に変換したり、赤、緑、青信号を用いるＲＧＢ方式のテレビ信号に変換したり、あるいはそれぞれの目的に応じた画像処理のための信号に変換する処理回路と、
　処理回路から出力されるアナログ信号をデジタル信号に変換し、このデジタル信号による画像データをその内部に備えた記憶回路（メモリ）に保持した後、この保持した画像データの信号を読出しアナログ信号に変換してテレビ出力をするＤＳＣ（デジタルスキャンコンバータ）と、
　フリーズスイッチ、写真撮影スイッチ等の操作卓上のスイッチとスコープ取付スイッチあるいはフットスイッチなどの操作用スイッチからなるスイッチ群と、
　マイクロプロセッサ（ＭＰＵ）を有し、演算処理とシステム各ユニットの制御とを行なうためのシステムコントローラとを備え、
　システムコントローラの制御を受けて、
　フリーズスイッチが押されると、ＤＳＣは記憶回路（メモリ）内に画像データを保持し、
　フリーズスイッチが写真撮影スイッチに先立って押されて、画像がフリーズされた後に写真撮影スイッチが押されると、写真撮影のみが行なわれ、写真撮影終了後は自動的にフリーズの解除が行なわれ、
　写真撮影スイッチの代わりにデータ転送スイッチを設け、写真撮影と同様にフロッピーディスク等の外部記憶装置へのデータ伝送が実行されるようにした
内視鏡装置。」
　
　
３．本願発明と刊行物記載の発明との対比・判断
　［対比］
　本願発明では、メモリ手段に格納されるデータについて、「デジタル映像信号」としているので検討する。
　本願明細書には、
　  (1)【０００８】【作用】に、「本発明では、供給された映像情報を、例えば「ＲＥＣ」スイッチ操作に応答してフリーズし（記録準備状態とし）、「ＳＴＡＲＴ」スイッチ操作によりメモリカードやフロッピーディスク等の記録媒体に記録するとともに、フットスイッチ等の別途の操作部材からの信号により上記「ＲＥＣ」スイッチ操作や「ＳＴＡＲＴ」スイッチ操作に対応する動作と同様な記録動作を行う。」
　 (2)【０００９】【実施例】に、「次に、本発明の実施例について図面を参照しながら説明する。図１は、本発明による映像情報記録装置の一実施例における正面パネル図である。本実施例では、　　　　　　　　　　　　　　　　　　　　　　　　・・・（中　略）・・・
映像情報をフリーズする「ＲＥＣ」スイッチ１０４と、・・・（後略）・・」
　 (3)【００１５】に、「本実施例ではフットスイッチ１２４の使用時にはスイッチＯＮでフリーとならず、即記録動作を開始するように構成されている。また、通常記録されているときは、図１の「ＲＥＣ」スイッチ１０４をＯＮ操作することによりフリーズ状態となり、「ＳＴＡＲＴ」スイッチ１０５ＯＮ操作で記録動作が開始される。」
　 (4)【００１６】に、「図３を参照してその動作処理手順を説明すると、先ず、　
　　　　　　　　　　　・・・（中　略）・・・
　ステップＳ１において、「ＲＥＣ」スイッチ１０４がＯＮ状態であれば、フリーズ状態に至り、ＶＲＡＭにデータを取り込む（ステップＳ４）。」
等の記載がある。
　いずれも、「ＲＥＣ」スイッチがＯＮ状態の時、映像情報をフリーズするとされている。
　そして、「フリーズ」なる用語は、動いている画面を静止させることを意味する用語（上記刊行物の記載(2)）であること、本願発明における「第１の操作に応じて形成される第１の指令信号」が、「ＲＥＣ」スイッチのＯＮ状態に相当することから、本願発明における「メモリ手段」（ＶＲＡＭ）に格納されるデータは、結局、映像を静止させた静止画についてのデータであり、したがって、刊行物記載の発明において、記憶回路（メモリ）に格納・保持されるデータを画像データとしていることと差異はない。
　また、刊行物記載の発明において、画像データのメモリへの保持は一時的なものであることも明らかである。
　したがって、両発明は、映像を静止画としてデータをメモリに一時的に取り込んだ後、任意に外部の記憶媒体に転送記録しようとするものである点で共通する。
　また、刊行物記載の発明におけるデータ転送スイッチは、写真撮影スイッチの代わりに設けるとされ、フリーズスイッチとともに操作卓上に設けられるものであることは明らかである。
　そして、刊行物記載の発明におけるＤＳＣのデジタル信号変換部，フリーズスイッチを押す操作，データ転送スイッチを押す操作，フットスイッチが、それぞれ、本願発明におけるＡ／Ｄ変換手段，装置本体に設けられた操作部に対する第１の操作，第２の操作，遠隔操作部材に相当することは明らかであり、さらに刊行物記載の発明におけるシステムコントローラが、本願発明における記憶制御手段、記録制御手段、遠隔操作部材指令受付手段に相当することも明らかである。
　結局、両発明は、以下の点での一致点及び相違点が認められる。
　［一致点］
　「供給された映像信号をデジタル映像信号に変換するＡ／Ｄ変換手段と、
　上記デジタル映像信号を一時的に格納可能なメモリ手段と、
　当該装置本体に設けられた操作部に対する第１の操作に応じて形成される第１の指令信号に基づいて上記デジタル映像信号を上記メモリ手段に格納させる記憶制御手段と、
　上記メモリ手段に格納されたデジタル映像信号を、上記操作部に対する第２の操作に応じて形成される第２の指令信号に基づいて当該適用された情報記録媒体に転送記録するための記録制御手段と、
　上記操作部とは別途の遠隔操作部材による操作指令を受付可能になされ、この操作指令の受付をしたときには上記操作部に対する操作に基づいて動作する制御動作を行わしめるための遠隔操作部材指令受付手段と、
を備えたことを特徴とする映像情報記録装置。」
　
　［相違点］
　遠隔操作部材の動作及びその操作による遠隔操作部材指令受付手段の動作について、本願発明が、遠隔操作部材の操作で、少なくとも、デジタル映像信号の記憶及び記録に関する限りでは、第１の指令信号及び第２の指令信号と等価な指令信号を発生するようにするとともに、遠隔操作部材指令受付手段で、デジタル映像信号の記憶及び記録に関する限りでは、等価な制御動作を行わしめるとし、更に、第１の指令信号を、第１の指令信号と等価な指令信号より優先させて受付けるようにしているのに対して、刊行物記載の発明では、遠隔操作部材であるフットスイッチの動作及びその操作による制御動作については、特に示されていない点。
　
　［判断］
　相違点について検討する。
　装置本体に設けた種々の操作部に対して、別途、遠隔操作部を設けようとする場合、本体操作部と同等の操作ができるように種々の操作部を設けることはごく周知のことである。
　刊行物記載の発明において、遠隔操作部材としてフットスイッチを設けているが、フットスイッチは、通常、「手」による本体操作部の操作が困難な場合を想定して設けるものであり、刊行物記載の発明において、遠隔操作部材であるフットスイッチに、操作卓上に設けた画像データの記憶及び記録に関する操作部と同等な操作を割り当てることは、格別の困難性は認められず、適宜になし得る範囲内のものと認める。
　また、遠隔操作部の操作による指令信号に対して、本体側操作部の操作による指令信号を優先させることも、必要に応じて適宜に選択設定し得る範囲内のものと認める。
　結局、本願発明は、刊行物記載の発明に基づいて当業者が容易に発明し得たものと認める。
　
　
４．結び
　以上のとおりであるから、本願請求項１に係る発明は、特許法２９条第２項の規定により特許を受けることができない。
　
　よって、結論のとおり審決する。